(57)【要約】【課題】本発明は、照明器具に関し、容易に施工できる照明器具を得ることを目的とする。【解決手段】本発明に係る照明器具は、筒状の本体と、該本体に収納された光源ユニットと、該本体の上面より上に設けられた配線差込部と、を備え、該配線差込部は、該本体の上面と平行または該本体の中心軸と対向する。【選択図】図２
2019153450.tif 000002
【特許請求の範囲】
【請求項１】
筒状の本体と、
前記本体に収納された光源ユニットと、
前記本体の上面より上に設けられた配線差込部と、
を備え、
前記配線差込部は、前記本体の上面と平行または前記本体の中心軸と対向することを特徴とする照明器具。
【請求項２】
前記配線差込部は、前記本体の中心軸と平行であることを特徴とする請求項１に記載の照明器具。
【請求項３】
前記配線差込部から配線を引き出す方向は、前記本体の中心軸に沿った方向から見て、前記本体の内側に向かうことを特徴とする請求項１または２に記載の照明器具。
【請求項４】
前記本体の上面から突出し、前記配線差込部を有する端子台を備えることを特徴とする請求項１から３の何れか１項に記載の照明器具。
【請求項５】
前記端子台は前記本体の中心軸に沿った方向から見て、前記本体の内側に収まることを特徴とする請求項４に記載の照明器具。
【請求項６】
前記端子台の下端は、前記本体の内部に設けられることを特徴とする請求項４または５に記載の照明器具。
【請求項７】
前記本体の中心軸と、前記光源ユニットが備える回路基板の中心軸は同軸であることを特徴とする請求項１から６の何れか１項に記載の照明器具。
【請求項８】
前記本体の中心軸と、前記光源ユニットが備える光源部の光軸とは同軸であることを特徴とする請求項１から７の何れか１項に記載の照明器具。
【請求項９】
前記本体は、前記本体の中心軸に沿って延び互いに対向する一対の平面部を有し、
前記光源ユニットは、前記一対の平面部が並ぶ方向と垂直に設けられた回路基板を備えることを特徴とする請求項１から８の何れか１項に記載の照明器具。
【請求項１０】
前記本体の側面から延びるバネを備え、
前記バネの前記側面と反対側の端部は、前記バネが前記側面に向かって閉じられた状態で、前記配線差込部よりも低い位置に設けられることを特徴とする請求項１から９の何れか１項に記載の照明器具。
【請求項１１】
前記配線差込部の上に設けられ、前記配線差込部に対して水平方向に突出する保護部材を備えることを特徴とする請求項１から１０の何れか１項に記載の照明器具。
【請求項１２】
被取付部に前記本体の中心軸に沿った方向に差し込まれることで、前記被取付部に固定されることを特徴とする請求項１から１１の何れか１項に記載の照明器具。
【発明の詳細な説明】
【技術分野】
【０００１】
本発明は、照明器具に関する。
【背景技術】
【０００２】
特許文献１には、器具本体と、光源ユニットと、電池ユニットと、点灯ユニットを備え、建物の通路または廊下などの天井に埋込配設される非常用照明器具が開示されている。光源ユニット、電池ユニット、点灯ユニットは器具本体に収容される。器具本体には、２つの取付ばねが取り付けられる。この照明器具は、器具本体内に点灯ユニットを収容し、それから光源ユニットを点灯ユニットに取り付け、続いて器具本体内に電池ユニットを収容することで組み立てられる。
【先行技術文献】
【特許文献】
【０００３】
【特許文献１】特開２０１７−７３２７６号公報
【発明の概要】
【発明が解決しようとする課題】
【０００４】
特許文献１の照明器具では、器具本体の側面に設けられた孔を通して、端子台の差込口が器具本体から露出する。このため、商用電源からの電力供給を受ける為の電源線を本体の側方から挿し込むこととなり、電源線が横方向に突き出し易い。このとき、電源線の分だけ照明器具の幅が大きくなり、照明器具を被取付部に取り付けにくくなる可能性がある。つまり、照明器具の幅が取付孔の直径よりも大きくなり、照明器具を取付孔に垂直方向に挿し込めない場合がある。または、照明器具を斜めにねじりながら取付孔に挿入しなくてはならない可能性がある。
【０００５】
さらに、特許文献１の照明器具では、照明器具を被取付部に取り付けるときに、電源線と本体の側面に設けられた取付ばねとが干渉するおそれがある。さらに、特許文献１では器具本体の内側に点灯ユニット、光源ユニットなどを順番に別々に取り付ける。このため、組み立てに手間が掛かる可能性がある。
【０００６】
本発明は、上述の課題を解決するためになされたもので、容易に施工できる照明器具を得ることを目的とする。
【課題を解決するための手段】
【０００７】
本発明に係る照明器具は、筒状の本体と、該本体に収納された光源ユニットと、該本体の上面より上に設けられた配線差込部と、を備え、該配線差込部は、該本体の上面と平行または該本体の中心軸と対向する。
【発明の効果】
【０００８】
本発明に係る照明器具では、配線差込部から本体の上方に配線を引き出すことができる。このため、配線が照明器具の横に突き出し難い。従って、照明器具を被取付部に取り付け易くなり、容易に施工できる。
【図面の簡単な説明】
【０００９】
【図１】実施の形態１に係る照明器具の斜視図である。
【図２】実施の形態１に係る照明器具の分解斜視図である。
【図３】実施の形態１に係る照明器具の断面図である。
【図４】実施の形態１に係る照明器具の平面図である。
【図５】実施の形態１に係る照明器具の拡大図である。
【図６】実施の形態１に係る照明器具の正面図である。
【図７】実施の形態１に係る照明器具の側面図である。
【図８】実施の形態１に係る端子台の斜視図である。
【図９】実施の形態１に係る光源ユニットの分解斜視図である。
【図１０】実施の形態１に係る電源ユニットの斜視図である。
【図１１】実施の形態１に係る電源ユニットの分解斜視図である。
【図１２】実施の形態１に係る照明器具の組み立て方法を説明する図である。
【図１３】本体に光源ユニットを取り付けた状態を示す図である。
【図１４】本体に端子台および枠を取り付けた状態を示す図である。
【図１５】実施の形態１に係る照明器具を被取付部に取り付ける方法を説明する図である。
【図１６】バネを閉じた状態を示す図である。
【図１７】実施の形態１に係る照明器具が被取付部に取り付けられた状態を示す図である。
【発明を実施するための形態】
【００１０】
本発明の実施の形態に係る照明器具について図面を参照して説明する。同じ又は対応する構成要素には同じ符号を付し、説明の繰り返しを省略する場合がある。
【００１１】
実施の形態１．
図１は、実施の形態１に係る照明器具２０の斜視図である。図２は、実施の形態１に係る照明器具２０の分解斜視図である。図３は、実施の形態１に係る照明器具２０の断面図である。なお、図３は図４に示されるI-II直線で図４を切断することによって得られる断面図である。照明器具２０は、例えば非常用照明器具である。照明器具２０は、外部の予備電源からＡＣおよびＤＣの電力の供給を受けて、器具内部の光源５を点灯させる。光源５は例えば半導体光源である。本実施の形態では光源５はＬＥＤである。
【００１２】
照明器具２０は、筒状の本体１と、本体１に収納された光源ユニット１４と、端子台１０と、枠８を備える。本体１は、天井などの被取付部に設けられた開口に取り付けられる。光源ユニット１４は、光源部１６と電源ユニット２００を備える。光源部１６は光源５を備える。電源ユニット２００は、光源部１６に電力を供給し光源５を点灯させる。電源ユニット２００は本体１に収納される。
【００１３】
端子台１０は、本体１の上面から突出し、配線差込部１０ａを有する。図３に示されるように、端子台１０の下端は、本体１の内部に設けられる。配線差込部１０ａは本体１の上面より上に設けられる。図３に示されるように、配線差込部１０ａは、本体１の中心軸２７と対向する。本実施の形態では、配線差込部１０ａは本体１の中心軸２７と平行である。
【００１４】
（本体１）
本体１は一端に開口部を有する。本体１は開口部を有する第１底面１０１と、第１底面１０１と対向する第２底面１０２とを有する。第２底面１０２は本体１の上面である。また、本体１は、第１底面１０１と第２底面１０２とを繋ぐ側面１０３を有している。第１底面１０１は、開口部のまわりに鍔部１０１１を有する。鍔部１０１１には、後述する枠８を保持するための、枠係合部１０１１ａが設けられている。
【００１５】
なお、本体１の中心軸２７は、第１底面１０１から第２底面１０２に向かう方向に沿った中心軸であり、本体１を上面と垂直な方向から見た場合における本体１の中心を通る。本実施の形態では、中心軸２７は本体１の上面と垂直である。
【００１６】
図４は、実施の形態１に係る照明器具２０の平面図である。図５は、実施の形態１に係る照明器具２０の拡大図である。図６は、実施の形態１に係る照明器具２０の正面図である。図７は、実施の形態１に係る照明器具２０の側面図である。第２底面１０２には、エンボス用孔１ａが設けられる。エンボス用孔１ａには、後述する保持具４に設けられたエンボス４ｃが嵌合される。
【００１７】
また、第２底面１０２には、端子台１０が挿通される端子台用開口１ｂが形成される。端子台用開口１ｂは、第２底面１０２と側面１０３に亘り設けられている。端子台用開口１ｂは、端子台１０に塞がれる。
【００１８】
さらに、第２底面１０２には固定具２１が挿通される保持孔１ｃが形成される。保持孔１ｃは、例えばねじ穴である。固定具２１によって保持具４は本体１に固定される。固定具２１は、例えばねじ等の締結部材である。本体１は、エンボス用孔１ａとエンボス４ｃが嵌合し、保持具４の上部に空けられた一つの保持孔１ｃに固定具２１が通されることにより、光源ユニット１４を保持できる。
【００１９】
本体１の側面１０３は、本体１の中心軸２７に沿って延び互いに対向する一対の平面部１０３１を有する。各々の平面部１０３１にはバネ１５が取り付けられる。なお、対向する平面部１０３１は、端子台用開口１ｂと直線状に並設する。端子台１０は本体１の中心軸２７に沿った方向から見て、本体１の内側に収まる。
【００２０】
（バネ１５）
バネ１５は本体１の側面１０３から延びる。バネ１５は、平面部１０３１に取り付けられるバネ取付部１５ａと、バネ取付部１５ａの端部に設けられたバネ腕部１５ｂを有する。バネ１５は、本体１に取り付けられた状態において、本体１に対して垂直方向にバネ腕部１５ｂが突設している状態から本体１側へ弾性変形する。つまり、バネ１５は側面１０３に向かって閉じる。また、バネ腕部１５ｂは枠８とともに被取付部の開口縁を狭持する。これにより、照明器具２０は被取付部に固定される。
【００２１】
（枠８）
枠８は、本体１の第１底面１０１を覆うように取り付けられる。枠８は鍔部１０１１に固定される。図５に示されるように、枠８は本体１と接触する方向に押し出された複数の引掛け部８ａと、半月状に突き出た複数の突出し部８ｂを備える。引掛け部８ａと突出し部８ｂはそれぞれ１つ以上設けられれば良い。枠８が本体１と接触した状態で回動することで、引掛け部８ａが本体１の枠係合部１０１１ａに引っ掛かかる。引掛け部８ａは本体１の縁部に引っ掛かっても良い。これにより、枠８は本体１に保持される。さらに枠８が所定の位置まで回転すると、突出し部８ｂが本体１の縁部に設けられた穴に引っ掛かる。突出し部８ｂは回転止めの役割を果たす。
【００２２】
照明器具２０は、例えば電源別置型の非常用照明器具である。このため、電池交換の必要がなく、本体１に各部品を収容した後に枠８を取り外す必要がない。この為、枠８は、ねじ等の着脱可能な締結具を使わずに本体１に固定しても良い。
【００２３】
枠８は回動により容易に本体１に装着できる。一方で、枠８は本体１または光源ユニット１４に嵌め込まれ、工具等を使用しなければ取り外せない。従って、いたずらまたは振動などにより意図せずに枠８が外れることを抑制できる。
【００２４】
（端子台１０）
端子台１０は電源線を介して電源と接続される。また、端子台１０は配線１３を介して光源ユニット１４と接続される。端子台１０は電源からの電力を光源ユニット１４に供給する。
【００２５】
図４、図５に示されるように、端子台１０は本体１の上面と垂直な方向から見て、本体１の円筒の投影面内かつ本体１の中心から離れた位置に設けられる。端子台１０の配線差込部１０ａは、本体１の円筒の中心側を向く。つまり、配線差込部１０ａは本体１の中心軸２７と対向する。端子台１０は中心軸２７に沿った方向から見て出力が本体１の内側に設けられるように、端子台用開口１ｂに挿し込まれる。端子台１０は端子台用開口１ｂを塞ぐ。このため、本体１の内部に埃が入り込むのを防止できる。
【００２６】
また、配線差込部１０ａから配線を引き出す方向は、本体１の中心軸２７に沿った方向から見て、本体１の内側に向かう。このため、配線差込部１０ａから引き出された配線は図５、図７に示される電源配置エリア８０を通って、電源と接続される。本実施の形態では、電源配置エリア８０が本体１の直上に設けられる。
【００２７】
図８は、実施の形態１に係る端子台１０の斜視図である。端子台１０は、端子台固定金具１１とねじ等の締結具２２により固定される。端子台固定金具１１は、側面１１ａに形成された半月状の突起１１ｃを有する。図１に示されるように、突起１１ｃにより本体１に対する端子台１０の高さ方向の位置が決定される。また、端子台固定金具１１の側面１１ａと本体１の側面１０３にそれぞれ空けられた穴には、ねじが通される。これにより、端子台固定金具１１と本体１はねじ留めされる。従って、端子台固定金具１１は本体１に固定される。
【００２８】
図３に示されるように、端子台固定金具１１の側面１１ａは、側面１０３の延長面となる。平面部１０３１と側面１１ａは平行である。これにより、照明器具２０を被取付部に取り付けるときに、端子台１０が被取付部の開口と干渉するのを抑制できる。
【００２９】
または、端子台固定金具１１は、配線差込部１０ａの上に設けられ、配線差込部１０ａに対して水平方向に突出する上面１１ｂを有する。上面１１ｂは、端子台１０の上面を覆い、端子台１０の保護をする保護部材である。上面１１ｂは、端子台１０の上面より長く形成される。これにより、端子台１０の電源線が差し込まれる接続口に埃などが蓄積されるのを抑制できる。
【００３０】
なお、端子台１０は、配線差込部１０ａを円筒の中心軸２７と対向するように設置することで、中心軸２７に対して垂直に設置するよりも、電源線が差し込まれる接続口に埃が蓄積されるのを抑制できる。
【００３１】
（光源ユニット１４）
図９は、実施の形態１に係る光源ユニット１４の分解斜視図である。光源ユニット１４はレンズ７と、レンズ７の上に設けられたホルダー９と、ホルダーの上に設けられた光源基板６を備える。光源基板６のレンズ７側の面には、光源５が実装されている。さらに光源ユニット１４は、光源基板６の上に設けられた熱拡散部品２３と、熱拡散部品２３の上に設けられた保持具４と、保持具４に保持された電源ユニット２００を備える。
【００３２】
電源ユニット２００は、後述する回路基板３を収納するケース２を有する。ケース２は例えば樹脂ケースである。ケース２には、複数の係り爪２ｂａが設けられる。複数の係り爪２ｂａが保持具４に引っかかることにより、電源ユニット２００は保持具４に固定される。
【００３３】
また、ホルダー９は、光源基板６と、光源５の配光を制御するレンズ７を保持する。光源５、光源基板６、レンズ７およびホルダー９は光源部１６を構成する。保持具４は、ケース２を保持している面と別の面において、ホルダー９を保持している。
【００３４】
すなわち、回路基板３を内蔵したケース２と、保持具４と、ホルダー９と、光源５を実装した光源基板６と、レンズ７とは、光源ユニット１４として一体化されている。光源ユニット１４は一体化された光源ＡＳＳＹである。電源ユニット２００と光源部１６とは保持具４により一体化されている。
【００３５】
なお、本体１の中心軸２７と、光源ユニット１４が備える光源部１６の光軸とは同軸または略同軸である。光源部１６の光軸は、光源５の照射方向の中心軸である。
【００３６】
（保持具４）
保持具４は、例えば金属板から形成される。保持具４は、例えば板金の曲げ加工により形成される。保持具４は、ケース２を保持する機能と光源５により発生する熱を放熱する機能を併せ持つ。保持具４は、第１部分４０１と、第２部分４０３と、第１部分４０１と第２部分４０３とを繋ぐ第３部分４０２とを有する。電源ユニット２００は、第１部分４０１と第２部分４０３との間に設けられる。
【００３７】
第１部分４０１には光源部１６が取り付けられる。第１部分４０１は、光源基板６に平行な水平面を有する。第３部分４０２は、光源基板６に垂直な垂直面を有する。第３部分４０２はケース２に面する。第２部分４０３は、第３部分４０２のうち光源基板６から遠いほうの端部に設けられる。第２部分４０３は第１部分４０１と平行である。
【００３８】
第２部分４０３は、本体１と固定されるためのねじ穴４０３ａを備える。本体１の保持孔１ｃとねじ穴４０３ａには固定具２１が挿入される。これにより、本体１と保持具４は、ねじ留めされる。固定具２１は、本体１の外側から保持孔１ｃとねじ穴４０３ａに挿入される。つまり、光源ユニット１４は、本体１の外側から本体１に固定される。
【００３９】
また、第２部分４０３は位置決め用のエンボス４ｃを有する。エンボス４ｃと、本体１のエンボス用孔１ａは嵌合する。エンボス４ｃは、本体１と嵌合する嵌合部である。以上から、保持具４の第２部分４０３は、本体１の第２底面１０２と接触して固定される。第２部分４０３は、本体１の開口部と反対側の端部に固定される。
【００４０】
保持具４の第３部分４０２は、ケース２に接する。ケース２は、厚さ方向に突出した突起部２０２を有する。第３部分４０２は突起部２０２が嵌め込まれる開口を有する。また、第３部分４０２は、ケース２の係り爪２ｂａが嵌合する板端部を有する。板端部は第３部分４０２の側面端部である。保持具４は、第３部分４０２の板端部とケース２の係り爪２ｂａが嵌合することで、ケース２を固定する。このように、本実施の形態では、第３部分４０２は電源ユニット２００と係合する。
【００４１】
保持具４の第１部分４０１は、ホルダー９を固定するためのねじ穴を有する。第１部分４０１は、光源基板６のうち光源５が実装されていない面と対向している。第１部分４０１と光源基板６の間には、放熱絶縁シートなどの熱拡散部品２３が挟み込まれる。熱拡散部品２３は設けられなくても良い。また、第１部分４０１は、光源基板６のうち光源５が実装されていない面と接触しても良い。
【００４２】
第３部分４０２にはＡ開口４０２ａが形成されている。第１部分４０１は、例えば板材料を切り起こしして形成される。第１部分４０１を切り起こす際に、Ａ開口４０２ａが形成される。板材料においてＡ開口４０２ａに対応する部分が、保持具４において第１部分４０１を形成する。これにより、光源基板６の裏面を覆うような大きさに第１部分４０１を形成することができる。また、ケース２は凸部２０３を有する。Ａ開口４０２ａには、凸部２０３が嵌め込まれる。
【００４３】
（ホルダー９）
ホルダー９は、レンズ７に対向する面にホルダー９の厚み方向に突き出た引掛け部を有する。引掛け部にレンズ７の縁を掛けることで、ホルダー９はレンズ７を保持する。ホルダー９のレンズ７と反対側の面には、光源基板６と相似形状の溝が形成される。この溝により光源基板６の位置が固定される。また、ホルダー９は、ねじによって保持具４に固定されている。
【００４４】
（電源ユニット２００）
図１０は、実施の形態１に係る電源ユニット２００の斜視図である。図１０は、電源ユニット２００を図２に示されるＢ方向から見た図である。図１１は、実施の形態１に係る電源ユニット２００の分解斜視図である。電源ユニット２００は光源部１６に電力を供給する。電源ユニット２００は、光源５に電力を供給し光源５を点灯させる回路基板３を備える。また、電源ユニット２００は、ケース２を備える。ケース２は回路基板３を内蔵する。ケース２は回路基板３を保持する機能を有し、本体１よりも小さい。回路基板３は一対の平面部１０３１が並ぶ方向と垂直に設けられる。
【００４５】
ケース２は、箱側２ｂと蓋側２ｃの２つの部品からなる。箱側２ｂは保持具４と接触する係り爪２ｂａを有する。蓋側２ｃは、箱側２ｂと嵌合して回路基板３を覆う。蓋側２ｃは、箱側２ｂと嵌合することにより回路基板３を保持する。ケース２は、箱側２ｂと蓋側２ｃが一体化されていても良い。また、ケース２は回路基板３の全体を覆わずに一部に窓が開いていても良い。ケース２は樹脂で形成されるため、金属で構成されている本体１と回路基板３との絶縁性能を確保できる。
【００４６】
ケース２には、開口部２０１が蓋側２ｃに少なくとも一箇所設けられる。開口部２０１には、回路基板３と端子台１０を電気的に接続するための配線１３が通る。開口部２０１は、ケース２の側面に設けられた切り欠き部２０１ａと連通している。切り欠き部２０１ａは蓋側２ｃと箱側２ｂに渡って設けられる。図１０に示されるように、切り欠き部２０１ａは、配線１３を表面側の蓋側２ｃから裏面側の箱側２ｂへまわし込むとき、配線１３を収容する。切り欠き部２０１ａが設けられることで、配線１３により本体１の内側に収容される部品が大きくなることを抑制できる。従って、本体１の大型化を抑制できる。
【００４７】
また、箱側２ｂは保持具４の第３部分４０２と接する面に、突起部２０２を有している。突起部２０２は保持具４に設けられた開口を貫通する。突起部２０２には、先端に配線１３を狭持する幅の溝が形成されている。ケース２が保持具４に取り付けられた後に、第３部分４０２を貫通した突起部２０２に配線１３が押し込まれる。これにより、図２に示されるように、突起部２０２は配線１３を保持する。
【００４８】
ケース２は、蓋側２ｃの表面側に、リード線１２を保持する３つの保持部２ｄ、２ｅ、２ｆを有する。保持部２ｄは、蓋側２ｃの底面に設けられ、リード線が入る溝を有する。保持部２ｄは、リード線１２を嵌め込み、仮保持する。これにより、保持具４のうち光源５の近傍部にリード線１２が接触することを防止できる。保持部２ｅ、２ｆはそれぞれ爪形状である。保持部２ｅ、２ｆはリード線１２を嵌め込み固定している。保持部２ｄ、２ｅ、２ｆにより、ケース２はリード線１２を保持する。従って、組み立て時にリード線１２が本体１等と干渉することを抑制できる。
【００４９】
このように、本実施の形態では、リード線１２と配線１３がケース２に保持される。このため、電源ユニット２００を本体１へ収容する際に、リード線１２または配線１３が本体１と干渉または引っ掛かることを抑制できる。従って、照明器具２０の組立が容易にできる。
【００５０】
（リード線１２）
リード線１２は、光源基板６の表面側に設置されたコネクタと回路基板３とを電気的に接続する。停電時には、外部から供給された電力が、回路基板３からリード線１２を介し光源５に供給され、光源５を点灯させる。
【００５１】
（照明器具２０の組み立て方法）
照明器具２０の組み立て方法について、図１２から図１４を用いて説明する。図１２は、実施の形態１に係る照明器具２０の組み立て方法を説明する図である。まず、光源部１６と電源ユニット２００と保持具４とを組み立て、一体化された光源ユニット１４を形成する。図１２は光源ユニット１４が組み立てられた状態を示す。
【００５２】
次に、図１２の矢印に示されるように、光源ユニット１４を、本体１の開口部から本体１に差し込み、本体１に収納する。図１３は、本体１に光源ユニット１４を取り付けた状態を示す図である。光源ユニット１４は、エンボス４ｃがエンボス用孔１ａに挿入されるまで挿し込まれる。次に、エンボス４ｃがエンボス用孔１ａに挿入された状態で、固定具２１を保持孔１ｃとねじ穴４０３ａに挿入し、保持具４と本体１と螺合させる。これにより、光源ユニット１４は本体１に固定される。
【００５３】
次に、図１４に示されるように、端子台１０と光源ユニット１４とを配線１３により接続する。また、端子台用開口１ｂに端子台１０を挿し込み、端子台１０を本体１に取り付ける。また、枠８を本体１の開口部を覆うように鍔部１０１１に係合させる。これにより、枠８が本体１に固定される。図１４は、本体１に端子台１０および枠８を取り付けた状態を示す図である。以上から、照明器具２０は組み立てられる。なお、バネ１５は何れの工程で取り付けられても良い。
【００５４】
（照明器具２０の被取付部への取り付け方法）
次に、照明器具２０の被取付部への取り付け方法について図１５から図１７を用いて説明する。図１５は、実施の形態１に係る照明器具２０を被取付部２４に取り付ける方法を説明する図である。図１５は、照明器具２０が、被取付部２４の開口２５に取り付けられる前の状態を示す。
【００５５】
はじめに、図１６に示されるように、端子台１０の配線差込部１０ａに被取付部２４から引き出された電源線２６を接続する。このとき、電源線２６のうち配線差込部１０ａに接続される部分は、筒状の本体１の平面投影面内に配置される。また、配線差込部１０ａに電源線２６が接続された状態で、配線差込部１０ａから電源線２６が引き出される方向は、本体１の中心軸２７に沿った方向から見て本体１の内側に向かう。このため、配線差込部１０ａから延びる電源線２６を、本体１の側部を通ることなく、本体１の直上を通って、被取付部２４に延ばすことができる。
【００５６】
次に、図１６に示されるように、バネ１５を本体１側へすぼめて、照明器具２０を開口２５に挿入する。図１６は、バネ１５を閉じた状態を示す図である。バネ１５の本体１の側面１０３と反対側の端部は、バネが側面１０３に向かって閉じられた状態で、配線差込部１０ａよりも低い位置に設けられる。つまり、配線差込部１０ａは、バネ１５がすぼめられた状態におけるバネ１５の上端よりも高い位置に配設される。
【００５７】
照明器具２０が開口２５に差し込まれると、図１７に示されるように、バネ１５の変形状態が解除され、バネ１５は開いた状態となる。これにより、照明器具２０は、被取付部２４に取り付けられる。図１７は、実施の形態１に係る照明器具２０が被取付部２４に取り付けられた状態を示す図である。以上から、照明器具２０は、被取付部２４に本体１の中心軸２７に沿った方向に差し込まれることで、被取付部２４に固定される。
【００５８】
次に本実施の形態の部品配置による効果について説明する。照明器具２０では、本体１の円筒の高さ方向に対して、光源部１６よりも上側に回路基板３が設けられ、回路基板３よりも上側に端子台１０が設けられる。さらに、光源基板６と、回路基板３と、端子台１０とは、本体１の中心軸２７に沿った方向から見て本体１の内側に収めている。これらの構成により、照明器具２０の大型化を抑制できる。また、取り付け時に配線差込部１０ａが被取付部２４の開口２５と干渉するのを防止できる。
【００５９】
また、配線差込部１０ａは、本体１の上面より上に設けられる。さらに、配線差込部１０ａは第２底面１０２の中心側を向く。このとき、配線は、本体１の中心軸２７に沿った方向から見て、配線差込部１０ａから本体１の内側に向かって引き出される。このため、本体１の投影面内に、配線が挿しこまれ配置される空間を設けることができる。この空間は、電源配置エリア８０に該当する。このとき、配線差込部１０ａに接続された配線が照明器具２０から幅方向へ突き出すことを抑制できる。また、照明器具２０の取り付け時に、配線が配置される位置を本体１より上に制限できる。
【００６０】
以上から、本実施の形態では、配線が接続されたとしても、照明器具２０が幅方向に大きくなることを抑制できる。つまり、照明器具２０の側部に電源線２６が無い状態で、照明器具２０の取り付けができる。これにより、電源線２６が開口２５と接触しないように照明器具２０を挿入できる。従って、照明器具２０を被取付部２４に取り付け易くなり、照明器具２０を容易に施工できる。
【００６１】
また、端子台１０は中心軸２７よりも本体１の端部側に設けられる。端子台１０を中心軸２７と重ならないように配置することで、第２底面１０２における端子台１０が占有するエリアを抑制できる。これにより、第２底面１０２において保持具４の取り付けのためのエリアを確保できる。
【００６２】
さらに、端子台１０は第２底面１０２から突き出すため、電源線２６が本体１の側面１０３から引き出される構造と比較して、バネ１５と電源線２６との干渉を抑制できる。さらに、バネ１５が閉じた状態においてバネ１５が干渉しない位置に配線差込部１０ａが配設される。バネ１５は、閉じた状態で上端が配線差込部１０ａより低くなるように形成される。よって、照明器具２０の設置時に、バネ１５と配線の干渉を防止できる。
【００６３】
また、バネ１５を取り付けるために、平らな面である平面部１０３１が設けられる。照明器具２０の大型化を抑制するために、平面部１０３１は中心軸２７を中心とする円筒よりも凹むように設けられる。このため、一対の平面部１０３１の間隔は中心軸２７を中心とする円筒の直径よりも短い。ここで、回路基板３は一対の平面部１０３１が並ぶ方向に対して、交差する方向に設けられる。これにより、本体１を大きくすることなく回路基板３を収納できる。
【００６４】
また、図３に示されるように、第３部分４０２は、本体１の中心軸２７から外れた位置に設けられる。これにより、回路基板３を本体１の中心軸２７上に設け、本体１の直径の位置に回路基板３を収容できる。本実施の形態では、本体１の中心軸２７と、光源ユニット１４が備える回路基板３の中心軸は同軸である。この構成によれば、回路基板３を中心軸２７に沿った方向から見て長く形成できる。従って、照明器具２０の大きさを抑制しつつ、回路基板３を大きくできる。
【００６５】
また、本実施の形態では、端子台１０の一部のみが本体１に収容される。このため、本体１の内部空間のうち端子台１０が占有する範囲を抑制できる。従って、第３部分４０２を本体１の中心軸２７とずらすことができる。
【００６６】
また、端子台１０の一部は、本体１の内側に挿入される。これにより、端子台１０と回路基板３を接続する配線１３を、本体１により保護できる。また、配線差込部１０ａを第２底面１０２の上側に設けたことで、本体１の内部に端子台１０を収納する必要がなく、本体１を小型化できる。さらに、本体１の内部のうち電源ユニット２００の収容する空間を増やすことができる。また、端子台１０は背面側を端子台固定金具１１により保持された状態で、本体１に固定されている。このため、配線を差し込むときに端子台１０が押圧されても、端子台１０を本体１に安定して固定できる。
【００６７】
次に本実施の形態の光源ユニット１４の構造による効果について説明する。照明器具２０は、電源ユニット２００と光源部１６が取り付けつけられた保持具４を有する。保持具４を本体１に挿入して固定することで、光源ユニット１４の各部品を本体１に配設できる。本実施の形態では、保持具４により一体化された光源ユニット１４を、まとめて本体１に取り付けできる。このため、複数の部品を本体１に別々に取り付けするよりも、組み立てを容易にできる。また、光源ユニット１４は本体１の外部から取り付けできる。このため、本体１が小型であっても本体１の内部に光源ユニット１４を容易に取り付けできる。なお、枠８は光源ユニット１４の落下防止の役割を果たす。
【００６８】
また、電源ユニット２００は第１部分４０１と第２部分４０３の間に収容されるように保持具４に取り付けられる。このため、光源ユニット１４の大型化を抑制できる。
【００６９】
また、保持具４の第２部分４０３は、本体１の第２底面１０２に、本体１の外側からネジなどの固定具２１により固定されている。よって、保持具４は第１底面１０１側から、つまり本体１の内側から工具などで締結しなくても良い。このため、本体１の内部に作業スペースを確保しなくても良い。従って、第１部分４０１を第１底面１０１の開口部を覆うような大きさで形成できる。さらに、第１部分４０１または光源基板６との間に平面視において隙間がないように本体１を形成できる。従って、本体１の大型化を抑制できる。
【００７０】
また、本実施の形態では、第２部分４０３のエンボス４ｃをエンボス用孔１ａに嵌め合いさせることで、保持具４が本体１に対して回動するのを防止できる。さらに、本体１と光源ユニット１４を１つの固定具２１で回動することなく固定できる。従って、部品点数を少なくできる。
【００７１】
また、第３部分４０２に形成されたＡ開口４０２ａには、ケース２の凸部２０３が嵌め込まれる。これにより、ケース２によって保持具４の剛性を補強できる。
【００７２】
また、第３部分４０２は放熱フィンの効果を有する。光源部１６からの熱は、第３部分４０２を介して本体１に伝熱し、本体１から放熱される。第３部分４０２を放熱面とすることで、保持具４が設けられない場合と比較して放熱面積を増やすことができる。従って、放熱性を向上できる。また、本体１から放熱することで、放熱フィンを簡易化できる。このため、第３部分４０２の形状を、例えば放熱のために複数の放熱フィンを設けた複雑な形状にしなくても良い。従って、照明器具２０の構造を簡易化できる。
【００７３】
次に、本実施の形態の変形例について説明する。照明器具２０は例えば４つの光源５を備えるが、照明器具２０に実装される光源５は１つ以上であれば良い。また、端子台固定金具１１および枠８に形成された半月状の突起は、突起に対面する板金等の部品を引掛けて留める機能を有していれば良く、例えば単純な切起しなどでも良い。また、エンボス４ｃが第２底面１０２に設けられ、エンボス用孔１ａが保持具４に設けられてもよい。
【００７４】
また、保持具４は、上述した構造に限らず、少なくも光源部１６と電源ユニット２００が取り付けられれば良い。例えば、電源ユニット２００は、第３部分４０２に対して、第２部分４０３と反対側に設けられてもよい。この場合は、電源ユニット２００に端子台１０の挿入開口を設けると良い。
【００７５】
また、端子台１０の配線差込部１０ａは、本体１の内側に向かっていなくても良い。例えば、本体１の投影面内に配線が挿しこまれる空間が確保できれば、配線差込部１０ａが中心軸２７を超えた位置に設けられても良い。
【００７６】
また、配線差込部１０ａは中心軸２７と平行でなくても良い。配線差込部１０ａは、本体１の上面より上に設けられ、本体１の上面と平行または本体１の中心軸２７と対向すれば良い。ここで、配線差込部１０ａが中心軸２７と対向する状態には、配線差込部１０ａが向く方向が、本体１の上面と垂直な方向よりも中心軸２７に向かって傾いたあらゆる状態を含む。この場合にも、本体１の中心軸２７に沿った方向から見て、配線差込部１０ａから本体１の内側に向かって、配線を引き出すことができる。このため、配線が照明器具２０の幅方向へ突き出すことを抑制できる。
【００７７】
例えば、配線差込部１０ａが向く方向は、中心軸２７と垂直な方向から斜め上または斜め下に傾斜した方向であっても良い。また、配線差込部１０ａは端子台１０の上面に設けられても良い。また、配線差込部１０ａは本体１の上面と対向し、配線は端子台１０から下方に向かって引き出されても良い。この場合、配線が差し込まれる接続口に埃が蓄積されるのをさらに抑制できる。
【００７８】
また、本実施の形態ではエンボス４ｃと固定具２１で光源ユニット１４と本体１とが固定されるが、光源ユニット１４と本体１とが互いに固定されれば、別の固定方法を用いても良い。例えば、第２部分４０３と第２底面１０２とが爪などの係合部をそれぞれ有し、係合部が互いに嵌合しても良い。
【００７９】
また、保持具４は本体１と固定されれば良く、保持具４は第２部分４０３以外の部分で本体１と固定されても良い。また、保持具４は本体１の上面以外の部分と固定されても良い。また、光源ユニット１４を本体１に固定できれば、光源ユニット１４のうち保持具４以外の部分が本体１と固定されても良い。
【００８０】
また、光源ユニット１４を一体化できれば、光源ユニット１４は保持具４を備えなくても良い。例えば、光源ユニット１４は直接、電源ユニット２００に取り付けられても良い。この場合も、一体化された光源ユニット１４をまとめて本体１に取り付けできる。
【００８１】
また、光源ユニット１４は、少なくとも光源５と、光源５を点灯させる回路基板を有していれば良い。また、光源部１６は、少なくとも光源５を有していれば良く、用途に応じて他の部品を省略または追加しても良い。また、本実施の形態では配線差込部１０ａに電源線２６が接続される例を示したが、電源線２６以外の配線が配線差込部１０ａに接続されても良い。
【００８２】
また、本体１は円筒形状に限らず、内部に光源ユニット１４が収納されるあらゆる形状を採用できる。例えば、本体１は断面が多角形または楕円形であってもよい。また、照明器具２０は非常用に限らず、あらゆる用途に使用されても良い。また、端子台１０が接続される電源は、予備電源に限らず、商用電源等の外部電源であっても良い。
【００８３】
なお、本実施の形態で説明した技術的特徴は適宜に組み合わせて用いてもよい。
【符号の説明】
【００８４】
１  本体、１ａ  エンボス用孔、１ｂ  端子台用開口、１ｃ  保持孔、１０１  第１底面、１０１１  鍔部、１０１１ａ  枠係合部、１０２  第２底面、１０３  側面、１０３１  平面部、２００  電源ユニット、２  ケース、２ｂ  箱側、２ｂａ  係り爪、２ｃ  蓋側、２ｄ  保持部、２ｅ  保持部、２ｆ  保持部、２０１  開口部、２０２  突起部、２０３  凸部、３  回路基板、４  保持具、４ｃ  エンボス、４０１  第１部分、４０２  第３部分、４０２ａ  Ａ開口、４０３  第２部分、４０３ａ  ねじ穴、５  光源、６  光源基板、７  レンズ、８  枠、８ａ  引掛け部、８ｂ  突出し部、９  ホルダー、１０  端子台、１０ａ  配線差込部、１１  端子台固定金具、１１ａ  側面、１１ｂ  上面、１２  リード線、１３  配線、１４  光源ユニット、１５  バネ、１５ａ  バネ取付部、１５ｂ  バネ腕部、１６  光源部、２０  照明器具、２１  固定具、２２  締結具、２３  熱拡散部品、２４  被取付部、２５  開口、２６  電源線、２７  中心軸、８０  電源配置エリア
【図１】
2019153450.tif 000003
【図２】
2019153450.tif 000004
【図３】
2019153450.tif 000005
【図４】
2019153450.tif 000006
【図５】
2019153450.tif 000007
【図６】
2019153450.tif 000008
【図７】
2019153450.tif 000009
【図８】
2019153450.tif 000010
【図９】
2019153450.tif 000011
【図１０】
2019153450.tif 000012
【図１１】
2019153450.tif 000013
【図１２】
2019153450.tif 000014
【図１３】
2019153450.tif 000015
【図１４】
2019153450.tif 000016
【図１５】
2019153450.tif 000017
【図１６】
2019153450.tif 000018
【図１７】
2019153450.tif 000019